(57)【要約】【課題】タバコパックを効果的に陳列できる構造のタバコ陳列システムのフレームユニットを提供する。【解決手段】左右一対ずつ上下方向に配列されている複数の支持フレームが、前後方向に配列されている矩形枠状の複数の本体フレームの内側面に接合されている。トレーユニット２００の下面の両側部に形成されているトレー凸部２０１が係合するガイド凹部３２１が支持フレームに形成されており、複数のフレームユニット３００が交互に前後反転されて本体フレームが前後方向に隣接する配置で左右方向に配列されると、各々のガイド凹部３２１の前後位置が同一となる。隣接するトレーユニット２００の隙間を一個の本体フレームの左右幅とすることができる。それでいて、左右方向に隣接する複数のトレーユニット２００の前後位置も一致させることができる。【選択図】図１
2008080055.tif 000002
【特許請求の範囲】
【請求項１】
販売されるタバコパックを陳列するためのタバコ陳列システムに利用されるフレームユニットであって、
別体のトレーユニットを支持する前後方向に細長いレール状に形成されていて左右一対ずつ上下方向に配列されている複数の支持フレームと、前記支持フレームが内側面に接合されている矩形の枠状に形成されていて前後方向に配列されている複数の本体フレームと、を有し、
前記トレーユニットの下面の両側部に形成されているトレー凸部が係合するガイド凹部が前記支持フレームに形成されており、
複数が交互に前後反転されて前記本体フレームが前後方向に隣接する配置で左右方向に配列されると各々の前記ガイド凹部の前後位置が同一となるフレームユニット。
【請求項２】
前記トレーユニットとして前後長が相違する複数種類があり、
複数種類の前記トレーユニットは前縁から前記トレー凸部までの距離が共通している請求項１に記載のフレームユニット。
【請求項３】
前記本体フレームの前後幅Ａと、前方の前記本体フレームの後縁から前記ガイド凹部の前縁までの距離Ｂと、前記ガイド凹部の後縁から後方の前記本体フレームの前縁までの距離Ｃとが、
Ｂ＝Ａ＋Ｃ
を満足している請求項１または２に記載のフレームユニット。
【請求項４】
前記本体フレームは、前記枠状に曲折された金属の板材で形成されており、
前記支持フレームは、前記レール状に曲折された金属の板材で形成されている請求項１ないし３の何れか一項に記載のフレームユニット。
【請求項５】
前記本体フレームの上面と下面との対応する位置に面ファスナが装着されている請求項１ないし４の何れか一項に記載のフレームユニット。
【請求項６】
複数の前記本体フレームの少なくとも一対の下面にフレーム凹部が形成されており、
複数の前記本体フレームの少なくとも一対の上面に前記フレーム凹部に個々に係合するフレーム凸部が形成されている請求項１ないし５の何れか一項に記載のフレームユニット。
【請求項７】
販売されるタバコパックを陳列するためのタバコ陳列システムであって、
交互に前後反転されて前記本体フレームが前後方向に隣接する配置で左右方向に配列される請求項１ないし６の何れか一項に記載の複数のフレームユニットと、
上面開口のボックス状に形成されていて前記フレームユニットに保持される形状の複数のトレーユニットと、
を有するタバコ陳列システム。
【請求項８】
交互に前後反転されて左右方向に配列された複数の前記フレームユニットの前後方向に隣接する前記本体フレームを保持する左右連結機構を、さらに有する請求項７に記載のタバコ陳列システム。
【請求項９】
前記フレームユニットとして、保持する前記トレーユニットの個数とともに上下高が相違する複数種類がある請求項７または８に記載のタバコ陳列システム。
【請求項１０】
前後方向に細長い上面開口のボックス状に形成されていて前後方向に配列された複数の前記タバコパックを保持する形状の複数のマガジンユニットを、さらに有し、
前記トレーユニットは、左右方向に配列された複数の前記マガジンユニットを着脱自在に保持する請求項７ないし９の何れか一項に記載のタバコ陳列システム。
【請求項１１】
前記マガジンユニットとして、保持する前記タバコパックの個数とともに前後長が相違する複数種類があり、
前記トレーユニットとして、複数種類の前記マガジンユニットに対応して前後長が相違する複数種類がある請求項１０に記載のタバコ陳列システム。
【請求項１２】
前記トレーユニットとして、保持する前記マガジンユニットの個数とともに左右幅が相違する複数種類があり、
前記フレームユニットとして、複数種類の前記トレーユニットに対応して左右幅が相違する複数種類がある請求項１０または１１に記載のタバコ陳列システム。
【請求項１３】
少なくとも上面が平坦で前面が開閉自在なボックス状のストッカユニットを、さらに有し、
前記ストッカユニットとして前記上面の左右幅が複数種類の前記フレームユニットと同等な複数種類がある請求項１２に記載のタバコ陳列システム。
【発明の詳細な説明】
【技術分野】
【０００１】
本発明は、販売されるタバコパックを陳列するためのタバコ陳列システムに利用されるフレームユニットに関し、特に、コンビニエンスストアなどで利用されるタバコ陳列システムのフレームユニットに関する。
【背景技術】
【０００２】
現在、いわゆるコンビニエンスストアなどの店舗では、タバコパックを陳列して販売している。なお、ここで云うタバコパックとは、実際に喫煙される紙巻タバコではなく、複数の紙巻タバコを収容している直方体状のパッケージを意味している。
【０００３】
タバコパックを陳列するタバコ陳列システムは、例えば、複数のマガジンユニットと一個のシステムフレームからなる。マガジンユニットは、例えば、無色透明な樹脂により、前後方向に細長い上面開口のボックス状に形成されている。
【０００４】
マガジンユニットは、立設された状態のタバコパックが前後方向に配列された状態で上方から収容される。なお、マガジンユニットには、スライダ部材が底面に前後方向にスライド自在に装着されている。
【０００５】
より詳細には、マガジンユニットの底部には、前後方向に細長い開口孔が形成されている。その開口孔の左右両側には上方に突出したリブが形成されている。そして、この一対のリブと開口孔にスライダ部材が前後方向にスライド自在に装着されている。
【０００６】
さらに、スライダ部材の後部には、付勢機構となる巻回された板バネが装着されている。その板バネの一端はスライダ部材から引き出されてマガジンユニットの底部前方に装着されている。
【０００７】
このため、前後方向にスライド自在なスライダ部材が、板バネにより弾発的に前方に付勢されている。従って、マガジンユニットに収容された複数のタバコパックは、スライダ部材により最前部に押圧される。
【０００８】
システムフレームは、複数のマガジンユニットを上下左右に配列して保持する。システムフレームは、複数のガイドレールと一個の本体フレームからなる。ガイドレールは、一対でマガジンユニットの両側部を保持する。本体フレームは、例えば、金属棒で立体形状に形成されている。本体フレームの要所に複数のガイドレールが一対ずつ固定されている。
【０００９】
上述のようなタバコ陳列システムでは、例えば、２０個のマガジンユニットが、４行５列などの配列でシステムフレームに装着される。そのマガジンユニットの各々に、例えば、１０個のタバコパックが収容される。
【００１０】
このようなタバコ陳列システムでは、無色透明なマガジンユニットにタバコパックが立設した状態で収容されるので、そのタバコパックの表面が前面に位置する状態で陳列される。従って、例えば、２０種類のタバコパックを陳列しながら、各々１０個ずつ収容するようなことができる。
【００１１】
タバコパックを販売するときには、マガジンユニットの最前の位置から上方に抜き出せばよい。その場合、マガジンユニットに収容されているタバコパックはスライダ部材により前方に押圧される。このため、マガジンユニットの最前の位置からタバコパックが抜き出されても、その位置にタバコパックが配置された状態が維持される。
【００１２】
タバコ陳列システムにタバコパックを補充するときには、システムフレームからマガジンユニットが取り外される。そのマガジンユニットにタバコパックが収容され、このタバコパックが収容されたマガジンユニットがシステムフレームに装着される。このため、システムフレームに固定されているマガジンユニットにタバコパックを補充するような煩雑な作業が必要ない。
【００１３】
また、上述のようなタバコ陳列システムでは、例えば、システムフレームからマガジンユニットを取り外すことにより、そのマガジンユニットを洗浄したり清掃することもできる。
【特許文献１】特開平１０−１５１０４７号公報
【発明の開示】
【発明が解決しようとする課題】
【００１４】
しかし、上述のようなタバコ陳列システムは、全体形状が固定されている。このため、店舗はタバコパックの陳列形態を変更することができなかった。同様に、店舗にタバコパックを供給する企業も、新規な陳列形態を提案するようなことができなかった。
【００１５】
上述のような課題を解決するためには、例えば、タバコ陳列システムをユニット構造とすることが想定できる。しかし、前述のように従来のタバコ陳列システムは、複数のマガジンユニットをシステムフレームで上下左右に配列して保持している。
【００１６】
このシステムフレームは、マガジンユニットを一対で保持する複数のガイドレールと、金属棒で立体形状に形成されてガイドレールが一対ずつ固定されている一個の本体フレームからなる。
【００１７】
そこで、このように金属棒で立体形状に形成されている本体フレームをユニット構造とすることが想定できる。この場合、マガジンユニットなどを各々支持する複数のフレームユニットを上下左右に配列することになる。
【００１８】
しかし、これでは左右方向に隣接するフレームユニットで支持されるマガジンユニットなどの隙間に一対の本体フレームが位置することになる。このため、左右方向に隣接するフレームユニットで支持されるマガジンユニットなどの密集度が低下する。
【００１９】
例えば、左右方向に隣接するフレームユニットを前後方向に変位させ、左右方向に隣接するフレームユニットの本体フレームを前後方向に隣接させれば、マガジンユニットなどの隙間は一個の本体フレームの左右幅となる。しかし、この場合は隣接するマガジンユニットなどの前面の位置が前後する。
【００２０】
つまり、従来のタバコ陳列システムの本体フレームを単純にユニット化した場合、陳列するタバコパックの前面の前後位置を一致させると、左右方向に配列されるタバコパックの隙間が増大する。
【００２１】
一方、タバコパックの隙間を最小限とすると、陳列するタバコパックの前面が一致しない。従って、必要最小限のスペースでタバコパックを効果的に陳列することが困難である。
【００２２】
例えば、フレームユニットに対してマガジンユニットを前後方向にスライド自在としておき、左右方向に配列するフレームユニットを前後方向に変位させても、マガジンユニットの前後位置を一致させることはできる。
【００２３】
しかし、この場合は、複数のマガジンユニットの前面の位置を手作業で調節して一致させることになる。このため、その作業が煩雑であり、上下左右に配列されるマガジンユニットの前面の位置に誤差が発生しやすい。
【００２４】
本発明は上述のような課題に鑑みてなされたものであり、複数のタバコパックを前面の位置を簡単かつ確実に一致させながら密集させて陳列することができる構造のフレームユニットを提供するものである。
【課題を解決するための手段】
【００２５】
本発明のフレームユニットは、販売されるタバコパックを陳列するためのタバコ陳列システムに利用されるフレームユニットであって、別体のトレーユニットを支持する前後方向に細長いレール状に形成されていて左右一対ずつ上下方向に配列されている複数の支持フレームと、支持フレームが内側面に接合されている矩形の枠状に形成されていて前後方向に配列されている複数の本体フレームと、を有し、トレーユニットの下面の両側部に形成されているトレー凸部が係合するガイド凹部が支持フレームに形成されており、複数が交互に前後反転されて本体フレームが前後方向に隣接する配置で左右方向に配列されると各々のガイド凹部の前後位置が同一となる。
【００２６】
従って、本発明のフレームユニットでは、複数が交互に前後反転されて本体フレームが前後方向に隣接する配置で左右方向に配列されると、隣接するトレーユニットの隙間が一個の本体フレームの左右幅となる。それでいて、各々の支持フレームのガイド凹部の前後位置が同一となるので、そこにトレー凸部が係合する複数のトレーユニットの前後位置も一致する。
【００２７】
本発明のタバコ陳列システムは、販売されるタバコパックを陳列するためのタバコ陳列システムであって、交互に前後反転されて本体フレームが前後方向に隣接する配置で左右方向に配列される本発明の複数のフレームユニットと、上面開口のボックス状に形成されていてフレームユニットに保持される形状の複数のトレーユニットと、を有する。
【００２８】
なお、本発明では上下以外に前後左右の方向も規定しているが、これは本発明の構成要素の相対関係を簡単に説明するために便宜的に規定したものであり、本発明を実施する場合の製造時や使用時の方向を限定するものではない。
【００２９】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【発明の効果】
【００３０】
本発明のフレームユニットでは、複数が交互に前後反転されて本体フレームが前後方向に隣接する配置で左右方向に配列されると、隣接するトレーユニットの隙間を一個の本体フレームの左右幅とすることができる。それでいて、左右方向に隣接する複数のトレーユニットの前後位置も一致させることができる。このため、複数のタバコパックを前面の位置を一致させながら密集させて、効果的に陳列することができる。しかも、トレーユニットのトレー凸部がフレームユニットのガイド凹部に係合する。このため、上下左右に配列される複数のトレーユニットの前後位置を簡単かつ確実に一致させることができる。
【発明を実施するための最良の形態】
【００３１】
本発明の実施の一形態を図面を参照して以下に説明する。本実施の形態のフレームユニット３００は、販売されるタバコパックＴを陳列するためのタバコ陳列システム１０００に利用される。
【００３２】
このため、フレームユニット３００は、図１に示すように、別体のトレーユニット２００を支持する前後方向に細長いレール状に形成されていて左右一対ずつ上下方向に配列されている複数の支持フレーム３２０と、支持フレーム３２０が内側面に接合されている矩形の枠状に形成されていて前後方向に配列されている複数の本体フレーム３１０と、を有する。
【００３３】
また、フレームユニット３００は、トレーユニット２００の下面の両側部に形成されているトレー凸部２０１が係合するガイド凹部３２１が支持フレーム３２０に形成されている。
【００３４】
そして、複数のフレームユニット３００が交互に前後反転されて本体フレーム３１０が前後方向に隣接する配置で左右方向に配列されると、その各々のガイド凹部３２１の前後位置が同一となる。
【００３５】
そして、上述のフレームユニット３００を利用して構築されている本実施の形態のタバコ陳列システム１０００は、図２に示すように、前後方向に細長い上面開口のボックス状に形成されていて前後方向に配列された複数のタバコパックＴを保持する形状の複数のマガジンユニット１００と、上面開口のボックス状に形成されていて左右方向に配列された複数のマガジンユニット１００を着脱自在に保持する形状の複数のトレーユニット２００と、交互に前後反転されて本体フレーム３１０が前後方向に隣接する配置で左右方向に配列される複数のフレームユニット３００と、を有する。
【００３６】
より詳細には、タバコ陳列システム１０００は、タバコパックＴ、複数のタバコパックＴがパックされたタバコカートンＫ、タバコパックＴがオマケとともにパックされたキャンペーンパックＰ、等を陳列する。なお、このキャンペーンパックＰは、例えば、厚紙で形成された簡易什器Ｆとともに店舗に提供される。
【００３７】
現在、タバコパックＴは、上下高に多少の高低はあるものの、一般的に前後長と左右幅が共通した直方体状に形成されている。そして、本実施の形態では、タバコパックＴの最大面を前面および後面、最小面を上面および下面、と規定する。
【００３８】
なお、一般的にタバコパックＴは前面(および後面)に銘柄などが表記されている。このため、その前面が前方に位置する適正な方向の状態で陳列されることが好ましい。そして、マガジンユニット１００は、図３ないし図５に示すように、上述のように方向が適正な状態の複数のタバコパックＴを前後方向に配列した状態で収容する。
【００３９】
ただし、本実施の形態のタバコ陳列システム１０００では、図３に示すように、前後長が大きく１３個のタバコパックＴを保持するマガジンユニット１００ａと、前後長が小さく７個のタバコパックＴを保持するマガジンユニット１００ｂと、がある。
【００４０】
なお、マガジンユニット１００は、無色透明な樹脂で形成されている。また、マガジンユニット１００の前端および後端には、上面が開口したポケット１０１，１０２が形成されている。
【００４１】
前方のポケット１０１には、例えば、顧客に提示するタバコパックＴの値札などが収容される。後方のポケット１０２には、例えば、店員が確認するタバコパックＴの情報カードなどが収容される。
【００４２】
マガジンユニット１００の底部には、前後方向に細長い開口孔１０４が形成されており、この開口孔１０４にスライダ部材１１０が前後方向にスライド自在に装着されている。
【００４３】
スライダ部材１１０は、巻回された板バネ１１１が付勢機構として後部に装着されている。この板バネ１１１の一端はスライダ部材１１０の底面から引き出されてマガジンユニット１００の前部に装着されている。
【００４４】
このため、スライダ部材１１０は板バネ１１１により弾発的に前方に付勢されている。なお、図４に示すように、スライダ部材１１０から引き出された板バネ１１１は、マガジンユニット１００の開口孔１０４の内部に位置するため、マガジンユニット１００に収容されるタバコパックＴの底面に接触しない。
【００４５】
マガジンユニット１００の底面後部には、ストッパ段部１０５が形成されている。このストッパ段部１０５に係合することにより、スライダ部材１１０は板バネ１１１の張力に抗して停止する。
【００４６】
また、マガジンユニット１００の底面前部には、左右方向と直交する断面形状が三角形のマガジン凸部１０７が形成されている。このマガジン凸部１０７は一個のタバコパックＴの前後長と同一の前後長に形成されている。
【００４７】
このため、マガジンユニット１００に収容されてスライダ部材１１０により前方に圧接された複数のタバコパックＴは、図５に示すように、最前部の一個のみ上方に突出した状態となる。
【００４８】
マガジンユニット１００は、上述のように底面前部にマガジン凸部１０７が形成されているが、これより後方のスライダ部材１１０がスライド移動する範囲では底面が凸部を有しない平面からなる。
【００４９】
トレーユニット２００も、図６ないし図９に示すように、上面が開口したボックス状に無色透明な樹脂で形成されている。トレーユニット２００には、複数のマガジンユニット１００が左右方向に配列された状態でトレーユニット２００に収容される。ただし、マガジンユニット１００ａ，１００ｂは、前述のように前後長が相違する二種類がある。
【００５０】
そこで、本実施の形態のタバコ陳列システム１０００では、前後長が大きいマガジンユニット１００ａを五個収容するトレーユニット２００ａ、前後長が大きいマガジンユニット１００ａを三個収容するトレーユニット２００ｂ、前後長が小さいマガジンユニット１００ｂを五個収容するトレーユニット２００ｃ、前後長が小さいマガジンユニット１００ｂを三個収容するトレーユニット２００ｄ、がある。
【００５１】
トレーユニット２００は、底面両側にトレー凸部２０１が形成されている。ただし、トレーユニット２００は、上述のように二種類の横幅と二種類の前後長との組み合わせの四種類があるが、トレー凸部２０１と前面との距離は共通である。また、トレーユニット２００の前部にも、例えば、複数のタバコパックＴの宣伝カードなどが収容されるポケット２０２が形成されている。
【００５２】
フレームユニット３００は、図１０ないし図１３に示すように、一対の本体フレーム３１０と複数の支持フレーム３２０からなる。本体フレーム３１０は、前面形状が矩形の枠状となるように曲折された金属の板材からなり、一対が前後方向に配列されている。
【００５３】
支持フレーム３２０は、トレーユニット２００を支持する前後方向に細長いレール状に形成された金属の板材からなり、複数が上下方向に配列されて一対の本体フレーム３１０の内側面に接合されている。
【００５４】
ただし、トレーユニット２００は、前述のように二種類の左右幅がある。そこで、本実施の形態のタバコ陳列システム１０００では、図１０ないし図１３に示すように、左右幅が大きいトレーユニット２００ａ，２００ｃを三個保持するフレームユニット３００ａ、左右幅が大きいトレーユニット２００ａ，２００ｃを二個保持するフレームユニット３００ｂ、左右幅が小さいトレーユニット２００ｂ，２００ｄを三個保持するフレームユニット３００ｃ、左右幅が小さいトレーユニット２００ｂ，２００ｄを二個保持するフレームユニット３００ｄ、がある。
【００５５】
フレームユニット３００は、支持フレーム３２０にガイド凹部３２１が形成されている。このガイド凹部３２１にトレーユニット２００のトレー凸部２０１が係合する。なお、前述のようにトレーユニット２００は二種類の前後長があるが、その前面からトレー凸部２０１までの距離は共通である。
【００５６】
また、四種類のフレームユニット３００も、その各々の前面からガイド凹部３２１までの距離は共通である。このため、図１および図２に示すように、フレームユニット３００に保持されたトレーユニット２００の前面の位置は同一となる。
【００５７】
そして、図１６に示すように、本体フレーム３１０の前後幅Ａと、前方の本体フレーム３１０の後縁からガイド凹部３２１の前縁までの距離Ｂと、ガイド凹部３２１の後縁から後方の本体フレーム３１０の前縁までの距離Ｃとが、
Ｂ＝Ａ＋Ｃ
を満足している。
【００５８】
このため、複数のフレームユニット３００を左右方向に配列するとき、その奇数番目と偶数番目で交互に前後を反転させ、本体フレーム３１０が前後方向に隣接するように配置すると、図１(ａ)および図１６に示すように、各々のガイド凹部３２１の前後位置が同一となる。従って、このように配置されたフレームユニット３００にトレーユニット２００が装着されても、図１(ｂ)に示すように、その前面の位置は同一となる。
【００５９】
なお、フレームユニット３００は、本体フレーム３１０の上面両側と下面両側とに、フレーム連結機構となる面ファスナ３１１が装着されている。また、本体フレーム３１０の下面中央には、フレーム凹部となるフレーム貫通孔３１３が形成されている。本体フレーム３１０の上面中央には、フレーム凸部となる凸部材３１４が装着されている。
【００６０】
そこで、本実施の形態のタバコ陳列システム１０００では、図２に示すように、横幅が同一の複数のフレームユニット３００を上下方向に設置すると、その複数のフレームユニット３００が面ファスナ３１１により連結される。このとき、フレーム貫通孔３１３と凸部材３１４とが係合する。
【００６１】
また、本実施の形態のタバコ陳列システム１０００は、図１５に示すように、前述のように交互に前後反転されて左右方向に配列された複数のフレームユニット３００を保持する左右連結機構としてクリップ部材３３１とファスナ部材３３２とを有する。
【００６２】
クリップ部材３３１はバネ材により形成されており、前述のように前後方向に隣接された本体フレーム３１０を弾発的に保持する。ファスナ部材３３２は、樹脂板の下面に一対の面ファスナが装着された構造からなり、上述のように配置された複数のフレームユニット３００の上面の隣接する面ファスナ３１１に接合される。
【００６３】
上述のような構成において、本実施の形態のタバコ陳列システム１０００では、前述のようにフレームユニット３００にトレーユニット２００を保持させると、そのガイド凹部３２１にトレー凸部２０１が係合する。このため、トレーユニット２００がフレームユニット３００に簡単かつ確実に適正な位置で保持される。
【００６４】
そして、本実施の形態のタバコ陳列システム１０００では、図１に示すように、複数のフレームユニット３００が交互に前後反転され、本体フレーム３１０が前後方向に隣接する配置で左右方向に配列されている。
【００６５】
このため、隣接するトレーユニット２００の隙間が一個の本体フレーム３１０の左右幅となっている。従って、左右方向に配列されているフレームユニット３００で陳列するタバコパックＴを良好に密集させることができる。
【００６６】
特に、本体フレーム３１０は金属棒ではなく金属板で形成されている。従って、このように隣接するトレーユニット２００の隙間に位置する本体フレーム３１０は、左右方向に扁平な金属板からなる。
【００６７】
このため、フレームユニット３００の剛性を向上させるために本体フレーム３１０の前後幅を拡大しても、陳列するタバコパックＴの密度が低下することがない。換言すると、本実施の形態のタバコ陳列システム１０００は、タバコパックＴの陳列の効果を低下させることなく全体の剛性を簡単に向上させることができる。
【００６８】
それでいて、上述のように複数が交互に前後反転されて本体フレーム３１０が前後方向に隣接する配置で左右方向に配列されると、左右方向に隣接する複数のトレーユニット２００の前後位置も一致させることができる。このため、前述のように密集させて陳列する複数のタバコパックＴの前面の位置を一致させることができる。
【００６９】
しかも、トレーユニット２００は前後長が相違する複数種類があるが、その前面からトレー凸部２０１までの距離は共通である。このため、複数種類のフレームユニット３００に複数種類のトレーユニット２００を保持させても、そのトレーユニット２００の前面の位置を同一とすることができる。
【００７０】
特に、フレームユニット３００は、図１６に示すように、本体フレーム３１０の前後幅Ａと、前方の本体フレーム３１０の後縁からガイド凹部３２１の前縁までの距離Ｂと、ガイド凹部３２１の後縁から後方の本体フレーム３１０の前縁までの距離Ｃとが、
Ｂ＝Ａ＋Ｃ
を満足している。このため、上述のような配置でガイド凹部３２１の前後位置が一致する構造を、簡単に実現することができる。
【００７１】
さらに、複数のフレームユニット３００が上下方向に配列されると、枠状に曲折されている金属の板材からなる本体フレーム３１０が表面同士で当接する。このため、複数のフレームユニット３００を上下方向に安定に配列することができる。
【００７２】
しかも、フレームユニット３００は、表面同士で当接する本体フレーム３１０を面ファスナ３１１により簡単に強固に接合することができる。このため、工具などを必要とすることなく簡単に複数のフレームユニット３００を上下方向に連結することができる。
【００７３】
さらに、上述の面ファスナ３１１として自動車部品の接合などに利用されている製品を使用することができる。その場合、面ファスナ３１１により複数のフレームユニット３００を強固に連結することができる。
【００７４】
さらに、上述のように複数のフレームユニット３００を上下方向に連結させるとき、下側のフレームユニット３００の一対の凸部材３１４が上側のフレームユニット３００の一対のフレーム貫通孔３１３に係合する。このため、上下方向に連結される複数のフレームユニット３００の前後左右の相対位置を簡単かつ確実に適正とすることができる。
【００７５】
しかも、本実施の形態のタバコ陳列システム１０００では、前述のように交互に前後反転されて左右方向に配列された複数のフレームユニット３００を、図１５に示すように、クリップ部材３３１とファスナ部材３３２とで左右方向にも連結することができる。
【００７６】
このため、工具などを必要とすることなく簡単に複数のフレームユニット３００を左右方向に連結することができる。しかも、前述のようにフレームユニット３００を上下方向に連結するための面ファスナ３１１を左右方向への連結にも利用するので、部品の利用効率が良好である。
【００７７】
また、フレームユニット３００は、トレーユニット２００を各々支持する複数の支持フレーム３２０が一対の本体フレーム３１０で上下方向に配列されて支持されており、その一対の本体フレーム３１０は複数の支持フレーム３２０で前後方向に配列されて支持されている。
【００７８】
さらに、支持フレーム３２０はコ字状の断面形状に曲折されているので、高剛性である。本体フレーム３１０は枠状に閉じた形状に形成されているので、高剛性である。そして、前後方向に配列された本体フレーム３１０が上下方向に配列された支持フレーム３２０で連結されているので、強固な立体構造が実現されている。
【００７９】
しかも、金属板からなる本体フレーム３１０と支持フレーム３２０とは、スポット溶接などで簡単かつ強固に接合することができる。このため、フレームユニット３００は、金属の棒材などで形成されていた従来の什器などに比較して極めて高剛性である。
【００８０】
さらに、フレームユニット３００は、上述のように機能部品と構造体とを兼用した必要最小限のフレーム３１０，３２０で形成されている。このため、フレームユニット３００は、部品数と接合箇所が少数であり、生産性が良好で軽量である。
【００８１】
そして、本実施の形態のタバコ陳列システム１０００は、上述のように個々に高剛性な複数のフレームユニット３００を上下左右に配列して強固に接合できるので、全体に強固な構造を実現することができる。
【００８２】
しかも、本実施の形態のタバコ陳列システム１０００では、図２に示すように、四種類のフレームユニット３００ａ〜３００ｄ、四種類のトレーユニット２００ａ〜２００ｄ、二種類のマガジンユニット１００ａ，１００ｂ、を利用者が所望により自在に組み合せることができる。
【００８３】
このため、タバコ陳列システム１０００を設置する空間に対応した外形とすることができ、空間を有効に利用することができる。特に、タバコパックＴを五列に保持する幅広のフレームユニット３００ａ，３００ｂと三列に保持する幅狭のフレームユニット３００ｃ，３００ｄとがあるので、設置スペースの左右幅に良好に対応することができる。
【００８４】
さらに、タバコパックＴを三行に保持する背高のフレームユニット３００ａ，３００ｃと二行に保持する背低のフレームユニット３００ｂ，３００ｄとがあるので、設置スペースの上下高にも良好に対応することができる。
【００８５】
なお、フレームユニット３００ａ〜３００ｄは、横幅が同一の組み合わせで上下方向に連結される。ただし、左右方向に配列するフレームユニット３００ａ〜３００ｄの組み合わせに制限はない。
【００８６】
トレーユニット２００ａ〜２００ｄは、左右幅が対応したフレームユニット３００ａ〜３００ｄに保持される。ただし、フレームユニット３００に保持させるトレーユニット２００の前後長に制限はない。
【００８７】
また、フレームユニット３００には二個または三個のトレーユニット２００が保持される。フレームユニット３００に保持させるトレーユニット２００の最少個数に制限はない。
【００８８】
マガジンユニット１００ａ，１００ｂは、前後長が対応したトレーユニット２００ａ〜２００ｄに保持される。ただし、トレーユニット２００にマガジンユニット１００を保持させることなく、タバコカートンＫやキャンペーンパックＰの簡易什器Ｆなどを直接に保持させることもできる。つまり、マガジンユニット１００に収容できない形状のタバコカートンＫや簡易什器Ｆなどでも陳列することができる。
【００８９】
本実施の形態のタバコ陳列システム１０００では、上述のようにフレームユニット３００とトレーユニット２００とマガジンユニット１００との各々が複数種類であり、それらの組み合わせの自由度が極めて高い。
【００９０】
このため、タバコパックＴを販売する店舗が所望により陳列形態を自在に変更することができる。さらに、店舗にタバコパックＴを供給する企業も、新規な陳列形態を提案するようなこともできる。
【００９１】
本実施の形態のタバコ陳列システム１０００は、各部を分解した状態で搬入し、工具を使用することなく組み立てることができる。従って、搬入や設置を迅速に省スペースで実行することができる。
【００９２】
例えば、２４時間営業のコンビニエンスストアなどでは、タバコ陳列システム１０００の搬入や設置を、顧客に店舗を開放している状態で実行する必要がある。しかし、タバコ陳列システム１０００は、上述のように搬入や設置を迅速に省スペースで実行することができるので、コンビニエンスストアなどの販売業務を阻害することがない。
【００９３】
また、マガジンユニット１００は、収容された複数のタバコパックＴをスライダ部材１１０により前方に押圧する。このため、複数のマガジンユニット１００に収容しているタバコパックＴを、共通の位置に自動的に陳列することができる。
【００９４】
しかも、マガジンユニット１００は、収容している複数のタバコパックＴをマガジン凸部１０７により最前部の一個のみ上方に突出させる。このため、収容されている複数のタバコパックＴから一個を容易に取り出すことができる。
【００９５】
また、マガジンユニット１００は、図４に示すように、後方にスライド移動させたスライダ部材１１０をストッパ段部１０５に係合させることにより、板バネ１１１の張力に抗して停止させることができる。このため、マガジンユニット１００に複数のタバコパックＴを容易に補充することができる。
【００９６】
さらに、前述のように前後が交互に反転された状態で複数のフレームユニット３００が左右方向に配列されると、左右方向に配列されている複数のフレームユニット３００の隙間を最少とすることができる。このため、タバコパックＴを陳列する密度を向上させることができる。
【００９７】
また、五個のマガジンユニット１００を保持するトレーユニット２００ａ，２００ｃは、横幅がタバコカートンＫの全長より微少に長い。従って、本実施の形態のタバコ陳列システム１０００は、図２に示すように、タバコカートンＫを横長となる状態でトレーユニット２００ａ，２００ｃに収容することもできる。
【００９８】
さらに、トレーユニット２００ａ，２００ｃには、キャンペーンパックＰがセットされた簡易什器Ｆなどを載置することもできる(図示せず)。また、図２に示すように、上述の簡易什器Ｆをフレームユニット３００の上面に載置することもでき、トレーユニット２００をセットしていないフレームユニット３００の内部に配置することもできる(図示せず)。
【００９９】
また、本実施の形態のタバコ陳列システム１０００は、上述のようにフレームユニット３００やトレーユニット２００やマガジンユニット１００を自由に組み合わせて組み立てることができるので、その一部を分解して清掃するようなことも容易である。
【０１００】
特に、本実施の形態のマガジンユニット１００は、少なくともスライダ部材１１０がスライド移動する範囲では底面が凸部を有しない平面からなる。このため、タバコパックＴが直接に載置されて汚損しやすいマガジンユニット１００の底面を、簡単に洗浄や清掃等することができる。
【０１０１】
さらに、マガジンユニット１００とトレーユニット２００とが無色透明な樹脂で形成されている。このため、トレーユニット２００に収容されたタバコカートンＫや、トレーユニット２００にマガジンユニット１００で収容されたタバコパックＴを、良好に視認できる状態に陳列することができる。
【０１０２】
なお、現在ではタバコパックＴやタバコカートンＫはダンボール箱に梱包されて店舗に提供され、店舗でタバコ陳列システム１０００のマガジンユニット１００やトレーユニット２００に補充されている。
【０１０３】
しかし、タバコパックＴが充填されたマガジンユニット１００やタバコカートンＫが充填されたトレーユニット２００を店舗に提供し、店舗から空のマガジンユニット１００やトレーユニット２００を回収することもできる。この場合、店舗ではタバコパックＴやタバコカートンＫをマガジンユニット１００やトレーユニット２００に補充する作業が無用となるので、販売効率を向上させることができる。
【０１０４】
なお、本発明は本実施の形態に限定されるものではなく、その要旨を逸脱しない範囲で各種の変形を許容する。例えば、上記形態ではタバコ陳列システム１０００がマガジンユニット１００とトレーユニット２００とフレームユニット３００からなることを例示した。
【０１０５】
しかし、図１７に示すように、タバコ陳列システム１０００が、ストッカユニット４００やテーブルユニット４１０を、さらに有してもよい。ストッカユニット４００は、少なくとも上面が平坦で前面が開閉自在なボックス状に形成されている。
【０１０６】
テーブルユニット４１０は、上面が平坦で上下方向に扁平なボックス状に形成されている。テーブルユニット４１０は、ユニットボックス４１１にテーブル部材４１２が前後方向にスライド自在に収容されている。このため、テーブル部材４１２を前方に突出させて作業に利用することができる。
【０１０７】
そして、前述のようにフレームユニット３００は左右幅が二種類なので、上述のストッカユニット４００とテーブルユニット４１０とは、フレームユニット３００に対応した二種類の左右幅に形成されている。
【０１０８】
このため、使用するフレームユニット３００に対応してストッカユニット４００やテーブルユニット４１０も組み合わせることができる。従って、タバコ陳列システム１０００の全体を統一感のある外観とすることができ、デッドスペースの発生を有効に防止することができる。
【０１０９】
さらに、前述のようにトレーユニット２００は前後長が二種類なので、上述のストッカユニット４００とテーブルユニット４１０とは、前後長が最大のトレーユニット２００ａ，２００ｂに対応した前後長に形成されている。従って、何れのトレーユニット２００を利用する場合にも、トレーユニット２００がストッカユニット４００より外側に突出するようなことがない。
【０１１０】
上述のようなストッカユニット４００を利用することにより、カウンタなどがない場所にも、タバコ陳列システム１０００を適正な状態に設置することができる。さらに、上述のようなテーブルユニット４１０を利用することにより、タバコパックＴの補充などの作業性を向上させることができ、それでいて使用しないときに邪魔となることもない。
【０１１１】
なお、上述のようなストッカユニット４００やテーブルユニット４１０は、例えば、フレームユニット３００と同様に、上面と下面とに形成されている凹凸や面ファスナなどにより、上下方向に連結される構造とすることができる(図示せず)。
【０１１２】
その場合、例えば、凹凸や面ファスナの位置や構造もフレームユニット３００と共通としておくことにより、ストッカユニット４００やテーブルユニット４１０にフレームユニット３００を適正に簡単かつ強固に設置することができる。
【０１１３】
さらに、図１８に示すように、タバコ陳列システム１０００が、さらに演出パーツ４２０を有してもよい。この演出パーツ４２０は、例えば、断面形状がＬ字型の樹脂パネルからなる。その前面となる部分４２１は、広告や装飾となるように形成されている。
【０１１４】
また、上述の部分に直交する部分４２２は、フレームユニット３００の本体フレーム３１０に吸着するマグネット４２３が装着されている。このため、フレームユニット３００の上面や側面に演出パーツ４２０を簡単に装着することができ、例えば、販売するタバコパックＴを変更したときに演出パーツ４２０を交換するようなことも容易である。なお、上述のような演出パーツ４２０も、例えば、複数種類のフレームユニット３００の上下高や左右幅に対応した全長に形成しておくことができる。
【０１１５】
なお、上述のような演出パーツ４２０に面ファスナを装着しておき、その面ファスナをフレームユニット３００の上面の面ファスナ３１１に接合させてもよい。この場合、より強固に演出パーツ４２０をフレームユニット３００の上面に装着することができる。さらに、左右方向に配列されたフレームユニット３００を演出パーツ４２０により連結することもできる。
【０１１６】
また、上記形態ではマガジンユニット１００にタバコパックＴを板バネ１１１の弾発力により前方に押圧するスライダ部材１１０が装着されており、トレーユニット２００にタバコカートンＫを直接に収容できることを例示した。
【０１１７】
しかし、タバコカートンＫを板バネ１１１の弾発力により前方に押圧するスライダ部材１１０をトレーユニット２００に搭載することもできる。その場合、図１９および図２０に示すように、トレーユニット２００に着脱自在なスライダユニット４３０を用意する。
【０１１８】
このスライダユニット４３０は、図１９に示すように、ガイドレール４３１の前後に樹脂部品４３２，４３３が装着されている。ガイドレール４３１にスライダ部材１１０がスライド自在に支持されており、このスライダ部材１１０の後部に巻回されている板バネ１１１の一端が前方の樹脂部品４３２に連結されている。また、樹脂部品４３２，４３３の下面には、物性によりトレーユニット２００に吸着する吸着部材(図示せず)が装着されている。
【０１１９】
そこで、図２０に示すように、一対のスライダユニット４３０をトレーユニット２００の底面に装着することにより、そこに収容される複数のタバコカートンＫを前方に押圧してトレーユニット２００の最前部に常時位置させることができる。
【０１２０】
また、上記形態ではトレーユニット２００にマガジンユニット１００でタバコパックＴを直立させて収容することを例示した。しかし、図２１に示すように、波形に曲折した形状の樹脂パネル４４０などをトレーユニット２００の底面にセットし、タバコパックＴをマガジンユニット１００とともに傾斜させた状態で収容してもよい。
【０１２１】
この場合、タバコパックＴを五列に収容できるトレーユニット２００に四列しか収容できないので、収容の効率は低下する。しかし、タバコパックＴの陳列に変化を持たせることができる。
【０１２２】
さらに、上記形態ではマガジンユニット１００やトレーユニット２００が無色透明な樹脂で形成されていることを例示した。しかし、蛍光色の樹脂でマガジンユニット１００などを形成しておいてもよい。
【０１２３】
その場合、例えば、通常のタバコパックＴは無色透明なマガジンユニット１００に収容して陳列し、新発売などのタバコパックＴを蛍光色のマガジンユニット１００に収容して陳列するようなことができる。この場合、特定のタバコパックＴを良好にアピールすることができる。
【０１２４】
また、上記形態ではフレームユニット３００にトレーユニット２００やマガジンユニット１００などでタバコパックＴやキャンペーンパックＰなどを陳列することを例示した。しかし、図２２に示すように、フレームユニット３００に着脱自在に装着されるメッシュユニット４５０でキャンペーンパックＰなどを陳列してもよい。
【０１２５】
このメッシュユニット４５０は、前面形状が矩形の枠部４５１、この枠部４５１の内部空間に配置されているメッシュ部４５２、枠部４５１の下部から後方に形成されている基部４５３、を有する。
【０１２６】
基部４５３はフレームユニット３００の上面に対応した左右幅および前後長に形成されている。メッシュユニット４５０の基部４５３の下面には面ファスナ(図示せず)が装着されている。この面ファスナは、フレームユニット３００の上面の面ファスナ３１１に着脱自在に装着される。
【０１２７】
このようなメッシュユニット４５０をフレームユニット３００の上面に装着すると、そのメッシュ部４５２にキャンペーンパックＰをエス管Ｓで懸架するようなことができる。
【０１２８】
また、上記形態では左右方向に配列された複数のフレームユニット３００が、左右連結機構である別体のクリップ部材３３１やファスナ部材３３２で連結されることを例示した。
【０１２９】
しかし、図２３に例示するフレームユニット３３０のように、本体フレーム３１０や支持フレーム３２０の側面に左右連結機構として面ファスナ３３１が装着されていてもよい。この場合、左右方向に配列された複数のフレームユニット３３０を、その側面の面ファスナ３３１により連結することができる。
【０１３０】
なお、現在ではタバコ陳列システム１０００に陳列されているタバコパックＴなどが販売されるとき、その販売情報が電子キャッシュレジスタ(図示せず)により収集されている。また、タバコパックＴなどがタバコ陳列システム１０００に補充されるとき、その補充情報や在庫情報もハンディターミナル(図示せず)などにより収集されている。
【０１３１】
しかし、このような販売情報や補充情報や在庫情報を収集する機能をタバコ陳列システム１０００に搭載することもできる。例えば、現在ではタバコパックＴなどの各種の商品にＲＦＩＤ(Radio Frequency Identification)チップ(図示せず)を搭載することが検討されている。
【０１３２】
そこで、タバコ陳列システム１０００にＲＦＩＤリーダ(図示せず)を搭載することにより、タバコ陳列システム１０００でタバコパックＴの販売情報や補充情報や在庫情報を収集することが可能となる。
【０１３３】
なお、上述のようなＲＦＩＤリーダは、例えば、マガジンユニット１００、トレーユニット２００、フレームユニット３００、などに搭載してもよく、マガジンユニット１００、トレーユニット２００、フレームユニット３００、などに着脱自在なユニットとしてもよい。
【０１３４】
なお、タバコ陳列システム１０００を店舗に提供する場合、当然ながら店舗により必要なユニット１００〜５００の組み合わせは相違する。その場合、店舗で必要なユニット１００〜５００を検討することになるが、その検討を支援するための陳列シミュレータ８００を店舗に提供することもできる。
【０１３５】
このような陳列シミュレータ８００ａは、図２４に示すように、フレームユニット３００の前面形状を所定の縮尺で模した平板状のユニット模型８１０、これと同一の縮尺で店舗のカウンタ(図示せず)の前面形状を模したカウンタ模型８２０、同一の縮尺でストッカユニット４００の前面形状を模したストッカ模型８３０、同一の縮尺でテーブルユニット４１０の前面形状を模したテーブル模型８４０、同一の縮尺で人間の前面形状を模した平板状の人間模型８５０、複数の模型８１０〜８４０がレイアウトされて着脱自在に装着されるとともに人間模型が着脱自在に装着されるレイアウト台紙８６０、からなる。
【０１３６】
レイアウト台紙８６０は磁性シートで形成されており、模型８１０〜８５０はマグネットシートで形成されている。このような陳列シミュレータ８００ａが提供された店舗では、図２５に示すように、レイアウト台紙８６０に各種の模型８１０〜８３０をレイアウトすることにより、タバコ陳列システム１０００の各種ユニット１００〜５００等の組み合わせを検討することができる。
【０１３７】
しかも、この陳列シミュレータ８００ａでは、統一の縮尺で人間模型８５０もあるので、タバコ陳列システム１０００と人間との相対関係も確認することができる。特に、人間模型８５０は、腕部が回動自在に形成されている。このため、人間が作業できる範囲にタバコ陳列システム１０００を構築できるかなども確認することができる。
【０１３８】
さらに、店舗でレイアウト台紙８６０に各種模型８１０〜８３０がレイアウトされた陳列シミュレータ８００をタバコ陳列システム１０００のメーカが回収し、そのレイアウトに対応して各種ユニット１００〜５００等をメーカが店舗に提供するようなこともできる。
【図面の簡単な説明】
【０１３９】
【図１】本発明の実施の形態のフレームユニットが左右方向に配列されてトレーユニットが装着される状態を示す平面図である。
【図２】フレームユニットを利用したタバコ陳列システムの外観を示す斜視図である。
【図３】二種類のマガジンユニットの外観を示す斜視図である。
【図４】マガジンユニットにタバコパックが収容される状態を示す分解斜視図である。
【図５】マガジンユニットにタバコパックが収容された状態を示す斜視図である。
【図６】タバコパックが収容されたマガジンユニットが四種類のトレーユニットの一つにセットされる状態を示す分解斜視図である。
【図７】タバコパックが収容されたマガジンユニットが四種類のトレーユニットの一つにセットされる状態を示す分解斜視図である。
【図８】四種類のトレーユニットの一つを示す斜視図である。
【図９】タバコパックが収容されたマガジンユニットが四種類のトレーユニットの一つにセットされる状態を示す分解斜視図である。
【図１０】四種類のフレームユニットの一つを示す斜視図である。
【図１１】四種類のフレームユニットの一つを示す斜視図である。
【図１２】四種類のフレームユニットの一つを示す斜視図である。
【図１３】四種類のフレームユニットの一つを示す斜視図である。
【図１４】タバコパックがマガジンユニットで収容されたトレーユニットが四種類のフレームユニットの一つにセットされる状態を示す分解斜視図である。
【図１５】左右方向に配列された複数のフレームユニットが左右連結機構であるクリップ部材とファスナ部材とで連結される状態を示す分解斜視図である。
【図１６】フレームユニットの各部の寸法関係を示す要部を拡大した平面図である。
【図１７】一変形例のストッカユニットを有するタバコ陳列システムの外観を示す斜視図である。
【図１８】他の変形例の演出パーツを有するタバコ陳列システムの外観を示す分解斜視図である。
【図１９】さらに他の変形例のスライダユニットの外観を示す斜視図である。
【図２０】スライダユニットがトレーユニットに装着された状態を示す斜視図である。
【図２１】さらに他の変形例の樹脂パネルを利用してトレーユニットにタバコパックを収容する状態を示す平面図である。
【図２２】さらに他の変形例のメッシュユニットを利用してタバコパックのキャンペーンパックを陳列する状態を示す斜視図である。
【図２３】さらに他の変形例の複数のフレームユニットを左右方向に連結する状態を示す分解斜視図である。
【図２４】さらに他の変形例の陳列シミュレータの外観を示す平面図である。
【図２５】陳列シミュレータが利用された状態を示す平面図である。
【符号の説明】
【０１４０】
１００    マガジンユニット
１０１，１０２    ポケット
１０４    開口孔
１０５    ストッパ段部
１０７    マガジン凸部
１１０    スライダ部材
１１１    板バネ
２００    トレーユニット
２０１    トレー凸部
２０２    ポケット
３００    フレームユニット
３１０    本体フレーム
３１１    面ファスナ
３１３    フレーム貫通孔
３１４    凸部材
３２０    支持フレーム
３２１    ガイド凹部
３３１    クリップ部材
３３２    ファスナ部材
４００    ストッカユニット
４１０    テーブルユニット
４１１    ユニットボックス
４１２    テーブル部材
４２０    演出パーツ
４２１    部分
４２２    部分
４２３    マグネット
４３０    スライダユニット
４３１    ガイドレール
４３２，４３３    樹脂部品
４４０    樹脂パネル
４５０    メッシュユニット
４５１    枠部
４５２    メッシュ部
４５３    基部
８００    陳列シミュレータ
８１０    ユニット模型
８２０    カウンタ模型
８３０    ストッカ模型
８４０    テーブル模型
８５０    人間模型
８６０    レイアウト台紙
８７０    ユニット模型
１０００    タバコ陳列システム
Ｆ    簡易什器
Ｋ    タバコカートン
Ｐ    キャンペーンパック
Ｓ    エス管
Ｔ    タバコパック
【図１】
2008080055.tif 000003
【図２】
2008080055.tif 000004
【図３】
2008080055.tif 000005
【図４】
2008080055.tif 000006
【図５】
2008080055.tif 000007
【図６】
2008080055.tif 000008
【図７】
2008080055.tif 000009
【図８】
2008080055.tif 000010
【図９】
2008080055.tif 000011
【図１０】
2008080055.tif 000012
【図１１】
2008080055.tif 000013
【図１２】
2008080055.tif 000014
【図１３】
2008080055.tif 000015
【図１４】
2008080055.tif 000016
【図１５】
2008080055.tif 000017
【図１６】
2008080055.tif 000018
【図１７】
2008080055.tif 000019
【図１８】
2008080055.tif 000020
【図１９】
2008080055.tif 000021
【図２０】
2008080055.tif 000022
【図２１】
2008080055.tif 000023
【図２２】
2008080055.tif 000024
【図２３】
2008080055.tif 000025
【図２４】
2008080055.tif 000026
【図２５】
2008080055.tif 000027